(57)【要約】【課題】モータの極数の変更に対して容易に対応可能としたブロワ装置を提供する。【解決手段】ブロワ装置１０の駆動源として設けられるモータ１２は、マルチランデル型構造を有するＡ相モータ部１２ａ及びＢ相モータ部１２ｂを備える。このマルチランデル型構造のＡ相モータ部１２ａ及びＢ相モータ部１２ｂはそれぞれ、ランデル型構造を有するＡ相ロータ部２３ａ及びＢ相ロータ部２３ｂと、ランデル型構造を有しＡ相ロータ部２３ａ及びＢ相ロータ部２３ｂとそれぞれ対応するＡ相ステータ部２２ａ及びＢ相ステータ部２２ｂとを有する。【選択図】図２
2016163368.tif 000002
【特許請求の範囲】
【請求項１】
径方向に互いに対向するように配置されたロータ及びステータを備えたモータと、前記ロータと一体回転可能に構成されたファンとを備えたブロワ装置であって、
前記モータは、
前記ファンと一体回転可能に構成されたコアベースから径方向に延出する基部と該基部の先端から軸方向に延出する磁極部とを有する爪状磁極をそれぞれ備えた第１及び第２ロータコアと、前記第１及び第２ロータコアの間に配置され軸方向に磁化された永久磁石とを有するロータと、
モータハウジングに支持されたコアベースから径方向に延出する基部と該基部の先端から軸方向に延出する磁極部とを有する爪状磁極をそれぞれ備えた第１及び第２ステータコアと、前記第１及び第２ステータコアの間に周方向に配置された巻線とを有するステータと
を備えていることを特徴とするブロワ装置。
【請求項２】
請求項１に記載のブロワ装置において、
前記ロータは、前記第１及び第２ロータコア及び前記永久磁石をそれぞれ備えた複数のロータ部からなり、
前記ステータは、前記第１及び第２ステータコア及び前記巻線をそれぞれ備えた、前記ロータ部と同数のステータ部からなり、
前記各ロータ部及び前記各ステータ部は、対応するもの同士が径方向に対向配置されてそれぞれ単一のモータ部を構成していることを特徴とするブロワ装置。
【請求項３】
請求項２に記載のブロワ装置において、
前記モータは、単一の前記ロータ部及び単一の前記ステータ部から構成された前記モータ部を２つ備え、
前記各ステータ部の前記巻線に駆動電圧を供給するための制御回路基板が、２つの前記モータ部の軸方向間に配置されたことを特徴とするブロワ装置。
【請求項４】
請求項２に記載のブロワ装置において、
単一の前記ロータ部及び単一の前記ステータ部から構成された前記モータ部が、前記ファンの軸方向両側にそれぞれ設けられたことを特徴とするブロワ装置。
【請求項５】
請求項４に記載のブロワ装置において、
一方の前記モータ部の前記ロータ部は前記ファンの軸方向一端面に固定され、他方の前記モータ部の前記ロータ部は前記ファンの軸方向他端面に固定されたことを特徴とするブロワ装置。
【請求項６】
請求項１〜５のいずれか１項に記載のブロワ装置において、
前記ロータの径方向内側を、前記ファンの回転により流れる空気の流路としたことを特徴とするブロワ装置。
【発明の詳細な説明】
【技術分野】
【０００１】
本発明は、ブラシレスモータを駆動源として備えたブロワ装置に関するものである。
【背景技術】
【０００２】
従来、例えば特許文献１に示されるように、ブロワ装置の駆動源に用いられるブラシレスモータでは、ステータは、径方向に沿って延びる複数のティースを有するステータコアと、各ティースに巻回された巻線とを備えている。また、同モータのロータは、回転軸に一体回転可能に固定されたヨークと、該ヨークに固着されロータの磁極を構成する複数の永久磁石とを備えている。
【先行技術文献】
【特許文献】
【０００３】
【特許文献１】特開平１１−３３２２００号公報
【発明の概要】
【発明が解決しようとする課題】
【０００４】
ところで、上記したようなブロワ装置のモータでは、そのロータ及びステータの極数を変更する場合、ロータ側では、永久磁石の個数等の変更が必要であり、ステータ側においては、ティース数の変更に伴ってコイルの個数や巻線態様等を変更しなければならず、極数の変更への対応に難があった。
【０００５】
本発明は、上記課題を解決するためになされたものであって、その目的は、モータの極数の変更に対して容易に対応可能としたブロワ装置を提供することにある。
【課題を解決するための手段】
【０００６】
上記課題を解決するブロワ装置は、径方向に互いに対向するように配置されたロータ及びステータを備えたモータと、前記ロータと一体回転可能に構成されたファンとを備えたブロワ装置であって、前記モータは、前記ファンと一体回転可能に構成されたコアベースから径方向に延出する基部と該基部の先端から軸方向に延出する磁極部とを有する爪状磁極をそれぞれ備えた第１及び第２ロータコアと、前記第１及び第２ロータコアの間に配置され軸方向に磁化された永久磁石とを有するロータと、モータハウジングに支持されたコアベースから径方向に延出する基部と該基部の先端から軸方向に延出する磁極部とを有する爪状磁極をそれぞれ備えた第１及び第２ステータコアと、前記第１及び第２ステータコアの間に周方向に配置された巻線とを有するステータとを備えている。
【０００７】
この構成によれば、モータのロータは、ファンと一体回転可能に構成されたコアベースから径方向に延出する基部と該基部の先端から軸方向に延出する磁極部とを有する爪状磁極をそれぞれ備えた第１及び第２ロータコアと、第１及び第２ロータコアの各コアベースの間に配置され軸方向に磁化された永久磁石とを有する。これにより、永久磁石を同一構造としながらも第１及び第２ロータコアの爪状磁極の数を変更することで、極数の変更に対して容易に対応可能となる。また、モータのステータは、モータハウジングに支持されたコアベースから径方向に延出する基部と該基部の先端から軸方向に延出する磁極部とを有する爪状磁極をそれぞれ備えた第１及び第２ステータコアと、第１及び第２ステータコアの各コアベースの間に周方向に配置された巻線とを有する。これにより、巻線構造を同一としながらも第１及び第２ステータコアの爪状磁極の数を変更することで、極数の変更に対して容易に対応可能となる。
【０００８】
上記ブロワ装置において、前記ロータは、前記第１及び第２ロータコア及び前記永久磁石をそれぞれ備えた複数のロータ部からなり、前記ステータは、前記第１及び第２ステータコア及び前記巻線をそれぞれ備えた、前記ロータ部と同数のステータ部からなり、前記各ロータ部及び前記各ステータ部は、対応するもの同士が径方向に対向配置されてそれぞれ単一のモータ部を構成していることが好ましい。
【０００９】
この構成によれば、互いに径方向に対向するロータ部及びステータ部のペアから単一のモータ部が構成され、そのモータ部が多段配置されたマルチランデル型モータが構成される。これにより、モータの出力向上に寄与できる。
【００１０】
上記ブロワ装置において、前記モータは、単一の前記ロータ部及び単一の前記ステータ部から構成された前記モータ部を２つ備え、前記各ステータ部の前記巻線に駆動電圧を供給するための制御回路基板が、２つの前記モータ部の軸方向間に配置されていることが好ましい。
【００１１】
この構成によれば、２つのモータ部の軸方向間に制御回路基板が配置される。このため、制御回路基板を２つのモータ部のそれぞれと近接するように構成でき、その結果、制御回路基板に環状巻線を接続する接続構成を簡素化することが可能となる。
【００１２】
上記ブロワ装置において、単一の前記ロータ部及び単一の前記ステータ部から構成された前記モータ部が、前記ファンの軸方向両側にそれぞれ設けられていることが好ましい。
この構成によれば、ファンの軸方向両側でそれぞれ生じるモータ（ロータ）の回転力によってファンが回転されるため、ファン回転時の軸ブレを好適に抑制することができる。また、モータ部の間にファンが設けられることから、外部に漏れ出るファンの風切り音を小さく抑えることが可能となる。
【００１３】
上記ブロワ装置において、一方の前記モータ部の前記ロータ部は前記ファンの軸方向一端面に固定され、他方の前記モータ部の前記ロータ部は前記ファンの軸方向他端面に固定されていることが好ましい。
【００１４】
この構成によれば、各ロータ部がファンに対して直接固定されるため、ブロワ装置の軸方向の小型化に寄与できる。
上記ブロワ装置において、前記ロータの径方向内側を、前記ファンの回転により流れる空気の流路としたことが好ましい。
【００１５】
この構成によれば、ファンの回転時にロータの径方向内側を空気が通るように構成されるため、モータで発生した熱の滞留を抑えることができる。これにより、熱によって生じうる巻線での抵抗増加を抑えることができ、その結果、モータの出力低下を抑えることができる。
【発明の効果】
【００１６】
本発明のブロワ装置によれば、モータの極数の変更に対して容易に対応可能となる。
【図面の簡単な説明】
【００１７】
【図１】第１実施形態のブロワ装置の斜視断面図である。
【図２】同形態のブロワ装置の一部を示す断面図である。
【図３】同形態におけるステータの一部を切断したモータの分解斜視図である。
【図４】同形態における単一のモータ部（Ａ相モータ部及びＢ相モータ部）を構成するロータ部の分解斜視図である。
【図５】同形態における単一のモータ部（Ａ相モータ部及びＢ相モータ部）を構成するステータ部の分解斜視図である。
【図６】第１実施形態の別例におけるブロワ装置の断面図である。
【図７】第２実施形態のブロワ装置の斜視断面図である。
【図８】同形態のブロワ装置の断面図である。
【図９】同形態における制御回路基板の平面図である。
【発明を実施するための形態】
【００１８】
（第１実施形態）
以下、ブロワ装置の第１実施形態について説明する。
図１に示すように、本実施形態のブロワ装置１０は、例えば車両用の送風機として用いられるものである。ブロワ装置１０は、ハウジング１１と、ハウジング１１内に収容されたブラシレスモータ１２（以下、単にモータ１２という）と、ハウジング１１内においてモータ１２の回転軸１３と一体回転可能に構成されたファン１４とを備えている。
【００１９】
ハウジング１１は、モータ１２が収容された有底円筒状のハウジング本体部１５と、ハウジング本体部１５に支持された天板部１６とを有する。ハウジング本体部１５は、回転軸１３の軸方向から見て円形状をなす底部１５ａと、底部１５ａの外周縁から軸方向に延びる円筒状の外周壁部１５ｂと、外周壁部１５ｂの底部１５ａとは反対側の端部から径方向に延出するフランジ部１５ｃとを備えている。底部１５ａの中心部には、軸方向に延びる円筒状の軸受収容部１５ｄが形成され、この軸受収容部１５ｄ内に回転軸１３を軸支する軸受１７が固定されている。
【００２０】
天板部１６は、円環板状をなしている。天板部１６は、ハウジング本体部１５のフランジ部１５ｃに対して軸方向に所定間隔を空けて対向するように配置されるとともに、該フランジ部１５ｃに対し例えばねじ（図示略）等によって固定されている。この天板部１６とフランジ部１５ｃとの間には、ファン１４の外縁部が介在されるように構成されている。また、フランジ部１５ｃには、ブロワ装置１０を設置する設置箇所に対する固定部１５ｅが径方向外側に延出するように形成されている。
【００２１】
ファン１４は、ハウジング本体部１５の外周壁部１５ｂよりも大径の円盤状をなすベース部１４ａと、ベース部１４ａの上面（反モータ側の面）の外周縁寄りの位置に複数立設された羽根部１４ｂと、各羽根部１４ｂと一体をなし天板部１６と軸方向に対向する円環板状の上壁部１４ｃとを備えている。
【００２２】
ファン１４は、モータ１２の回転軸１３と一体回転可能に構成されている。詳しくは、ベース部１４ａの中心部には回転軸１３が挿通されるとともに、回転軸１３の先端部がベース部１４ａの中心部に形成された固定孔１４ｄに嵌合されて固定されている。なお、ベース部１４ａの上面は、その中心部が軸方向の反モータ側に突出するテーパ状をなしている。また、ベース部１４ａのモータ１２側の軸方向端面に形成された固定面１４ｅは、モータ１２の後述するロータ２３に対して例えば接着等により固定されている。なお、固定面１４ｅは、軸方向に対して垂直をなす平面をなしている。
【００２３】
ファン１４の各羽根部１４ｂは、下端がベース部１４ａの上面と一体に繋がり、上端が上壁部１４ｃの下面と一体に繋がっている。なお、上壁部１４ｃの内周縁部は、ベース部１４ａから離間するように湾曲している。各羽根部１４ｂは、ファン１４の回転に基づいて空気を径方向外側に送風可能な形状に形成されている。
【００２４】
上記のように構成されたブロワ装置１０では、天板部１６の中央に貫通形成された円形の開口が吸気口１８となっている。また、天板部１６の外縁と、ハウジング本体部１５のフランジ部１５ｃの外縁との間の開口（隙間）が送風口１９として構成される。つまり、回転軸１３と共にファン１４が回転すると、各羽根部１４ｂの作用によって吸気口１８から空気が取り込まれ、ベース部１４ａと上壁部１４ｃとの間を通って送風口１９から径方向外側に送風されるようになっている。
【００２５】
［モータの構成］
図１及び図２に示すように、モータ１２は、ハウジング１１に支持された円筒状のヨークハウジング２１（以下、単にヨーク２１という）と、ヨーク２１の内周面に固定されたステータ２２と、ステータ２２の内周側に配置され前記回転軸１３を有するロータ２３とを備えている。ヨーク２１は、外周壁部１５ｂよりも小さい径の円筒状をなし、その外周壁部１５ｂの内周側に設けられている。また、ヨーク２１は、軸方向一端（図１及び図２において下端）にフランジ部２１ａを有し、該フランジ部２１ａはハウジング本体部１５の底部１５ａに固定されている。
【００２６】
次に、モータ１２の構成について詳述する。図２に示すように、モータ１２は、軸方向のファン１４側（出力側）から順にＡ相モータ部１２ａ及びＢ相モータ部１２ｂが並設されて構成されている。Ａ相モータ部１２ａ及びＢ相モータ部１２ｂは、互いに同一構成であって、共に所謂マルチランデル型のモータである。つまり、モータ１２は、Ａ相モータ部１２ａ及びＢ相モータ部１２ｂを備えた２相のマルチランデル型モータとして構成されている。
【００２７】
Ａ相モータ部１２ａは、回転軸１３と一体回転可能に構成されたＡ相ロータ部２３ａと、該Ａ相ロータ部２３ａの外周側の位置でヨーク２１の内周面に固定されたＡ相ステータ部２２ａとからなる。同様に、Ｂ相モータ部１２ｂは、回転軸１３と一体回転可能に構成されたＢ相ロータ部２３ｂと、該Ｂ相ロータ部２３ｂの外周側の位置でヨーク２１の内周面に固定されたＢ相ステータ部２２ｂとからなる。
【００２８】
［ロータの構成］
モータ１２のロータ２３は、回転軸１３と、回転軸１３に外挿されて固定された樹脂製の円筒状のスリーブ２４と、スリーブ２４の外周面に固定されたＡ相ロータ部２３ａ及びＢ相ロータ部２３ｂとから構成されている。Ａ相ロータ部２３ａ及びＢ相ロータ部２３ｂは共にランデル型構造であって、互いに同一構成、同一形状を有している。また、Ａ相ロータ部２３ａ及びＢ相ロータ部２３ｂは全体として円環状をなし、回転軸１３の軸方向に並設されるようにスリーブ２４に外挿されて固定されている。
【００２９】
図３及び図４に示すように、Ａ相ロータ部２３ａ及びＢ相ロータ部２３ｂは、それぞれ第１ロータコア３０、第２ロータコア４０及び環状磁石５０から構成されている。
［第１ロータコア］
図４に示すように、第１ロータコア３０は、円環板状の電磁鋼板にて形成された第１ロータコアベース３１を有している。第１ロータコアベース３１の中央位置には、回転軸１３が挿通される円筒状の内周壁部３２が形成されている。内周壁部３２は、第１ロータコアベース３１の内側面から軸方向内側（第２ロータコア４０側）に延出されている。内周壁部３２の内周面は、スリーブ２４の外周面と固定されている。これにより、第１ロータコアベース３１が回転軸１３に対しスリーブ２４を介して固定される。
【００３０】
また、第１ロータコアベース３１の外周面には、８個の同一形状をなす第１ロータ側爪状磁極３３が周方向等間隔（４５度間隔）に形成されている。各第１ロータ側爪状磁極３３は、第１ロータコアベース３１から径方向外側に突出されるとともに、その先端が軸方向の第２ロータコア４０側に屈曲形成されている。
【００３１】
ここで、第１ロータ側爪状磁極３３において、第１ロータコアベース３１の外周面３１ａから径方向外側に突出した部分を第１ロータ側基部３３ｘといい、軸方向に屈曲された先端部分を第１ロータ側磁極部３３ｙという。そして、第１ロータ側基部３３ｘを軸方向から見たときの形状は、径方向外側にいくほど幅狭になる台形形状に形成されている。また、第１ロータ側磁極部３３ｙを径方向から見たときの形状は、四角形状に形成されている。さらに、第１ロータ側基部３３ｘと第１ロータ側磁極部３３ｙからなる第１ロータ側爪状磁極３３の周方向端面３３ａ，３３ｂは、共に平坦面である。
【００３２】
なお、軸方向に屈曲形成された第１ロータ側磁極部３３ｙは軸直交方向断面が扇形状に形成されている。そして、第１ロータ側磁極部３３ｙの径方向外側面３３ｃ及び径方向内側面３３ｄは、軸線方向から見て、回転軸１３の中心軸線Ｌを中心として第１ロータコアベース３１の外周面３１ａと同心円をなす円弧面である。
【００３３】
また、各第１ロータ側爪状磁極３３の第１ロータ側基部３３ｘの周方向の角度、即ち、第１ロータ側爪状磁極３３の周方向端面３３ａ，３３ｂの基端部間が回転軸１３の中心軸線Ｌとなす角度は、隣り合う第１ロータ側爪状磁極３３間の隙間の角度より小さく設定されている。
【００３４】
［第２ロータコア］
図４に示すように、第２ロータコア４０は、第１ロータコア３０と同一材質及び同一形状よりなり、円環板状に形成された第２ロータコアベース４１を有している。第２ロータコアベース４１の中央位置には、回転軸１３が挿通される円筒状の内周壁部４２が形成されている。内周壁部４２は、第２ロータコアベース４１の内側面から軸方向内側（第１ロータコア３０側）に延出されている。内周壁部４２の内周面は、スリーブ２４の外周面と固定されている。これにより、第２ロータコアベース４１が回転軸１３に対しスリーブ２４を介して固定される。なお、第１及び第２ロータコアベース３１，４１の各内周壁部３２，４２は、互いに軸方向に隙間を介して対向している。
【００３５】
また、第２ロータコアベース４１の外周面には、８個の同一形状をなす第２ロータ側爪状磁極４３が周方向等間隔（４５度間隔）に形成されている。各第２ロータ側爪状磁極４３は、第２ロータコアベース４１から径方向外側に突出されるとともに、その先端が軸方向の第１ロータコア３０側に屈曲形成されている。
【００３６】
ここで、第２ロータ側爪状磁極４３において、第２ロータコアベース４１の外周面４１ａから径方向外側に突出した部分を第２ロータ側基部４３ｘといい、軸方向に屈曲された先端部分を第２ロータ側磁極部４３ｙという。そして、第２ロータ側基部４３ｘを軸方向から見たときの形状は、径方向外側にいくほど幅狭になる台形形状に形成されている。また、第２ロータ側磁極部４３ｙを径方向から見たときの形状は、四角形状に形成されている。さらに、第２ロータ側基部４３ｘと第２ロータ側磁極部４３ｙからなる第２ロータ側爪状磁極４３の周方向端面４３ａ，４３ｂは、共に平坦面である。
【００３７】
なお、軸方向に屈曲形成された第２ロータ側磁極部４３ｙは軸直交方向断面が扇形状に形成されている。そして、第２ロータ側磁極部４３ｙの径方向外側面４３ｃ及び径方向内側面４３ｄは、軸線方向から見て、中心軸線Ｌを中心として第２ロータコアベース４１の外周面４１ａと同心円をなす円弧面である。
【００３８】
また、各第２ロータ側爪状磁極４３の第２ロータ側基部４３ｘの周方向の角度、即ち、周方向端面４３ａ，４３ｂの基端部間が回転軸１３の中心軸線Ｌとなす角度は、隣り合う第２ロータ側爪状磁極４３間の隙間の角度より小さく設定されている。
【００３９】
そして、第２ロータコア４０は、第１ロータコア３０に対して、第２ロータコア４０の第２ロータ側爪状磁極４３が、軸方向から見てそれぞれ第１ロータコア３０の第１ロータ側爪状磁極３３間に位置するように配置固定されるようになっている。また、第２ロータコア４０は、第１ロータコアベース３１と第２ロータコアベース４１との軸方向の間に環状磁石５０が配置されるように、第１ロータコア３０に対して組み付けられる。
【００４０】
［環状磁石］
環状磁石５０は、本実施形態では、例えばフェライト焼結磁石よりなる円環板状の永久磁石である。図４に示すように、環状磁石５０の中央位置には、回転軸１３が挿通される貫通孔５１が形成されている。そして、環状磁石５０の軸方向一方の側面５２が、第１ロータコアベース３１の対向面３１ｂ（軸方向内側面）と、環状磁石５０の軸方向他方の側面５３が、第２ロータコアベース４１の対向面４１ｂ（軸方向内側面）とそれぞれ当接し、環状磁石５０は第１ロータコアベース３１と第２ロータコアベース４１との間に挟持固定される。また、環状磁石５０は、第１及び第２ロータコアベース３１，４１の各内周壁部３２，４２の外周側に配置される。環状磁石５０の外径は、第１及び第２ロータコアベース３１，４１の外径と一致するように設定され、厚さが予め定めた厚さに設定されている。
【００４１】
環状磁石５０は、軸方向に磁化されていて、第１ロータコアベース３１側がＮ極、第２ロータコアベース４１側がＳ極となるように磁化されている（図２参照）。従って、この環状磁石５０によって、図３に示すように、第１ロータコア３０の第１ロータ側爪状磁極３３はＮ極として機能し、第２ロータコア４０の第２ロータ側爪状磁極４３はＳ極として機能する。
【００４２】
このように、第１及び第２ロータコア３０，４０、並びに、環状磁石５０にて構成されたＡ相ロータ部２３ａ及びＢ相ロータ部２３ｂは、環状磁石５０を用いた所謂ランデル型構造として構成される。そして、Ａ相ロータ部２３ａ及びＢ相ロータ部２３ｂは、Ｎ極となる第１ロータ側爪状磁極３３と、Ｓ極となる第２ロータ側爪状磁極４３とが周方向に交互に配置され磁極数が１６極（極数対が８個）となる。
【００４３】
そして、図２に示すように、Ａ相ロータ部２３ａ及びＢ相ロータ部２３ｂは、スリーブ２４に対し軸方向に並設されて２相のランデル型のロータ２３を構成している。ここで、Ａ相ロータ部２３ａとＢ相ロータ部２３ｂは、以下のように軸方向に並設してスリーブ２４に固着される。
【００４４】
Ａ相ロータ部２３ａとＢ相ロータ部２３ｂは、それらの各第２ロータコア４０同士（各第２ロータコアベース４１同士）が軸方向に隙間を介して対向（又は当接）するように並設される。
【００４５】
また、図３に示すように、Ａ相ロータ部２３ａに対するＢ相ロータ部２３ｂの配置角度は、軸方向のＡ相モータ部１２ａ側から見て反時計回り方向に所定角度だけずれるように構成されている。つまり、Ａ相ロータ部２３ａの磁極（第１及び第２ロータ側爪状磁極３３，４３）に対し、軸方向に対向するＢ相ロータ部２３ｂの磁極（第１及び第２ロータ側爪状磁極３３，４３）が、反時計回り方向に所定角度だけずれるように構成されている。
【００４６】
［ステータの構成］
図２に示すように、モータ１２のステータ２２は、共にランデル型構造のＡ相ステータ部２２ａ及びＢ相ステータ部２２ｂを軸方向に並設した２相構造を有している。Ａ相ステータ部２２ａ及びＢ相ステータ部２２ｂは、互いに同一構成、同一形状を有している。また、Ａ相ステータ部２２ａ及びＢ相ステータ部２２ｂは全体として円環状をなし、回転軸１３の軸方向に並設されるようにヨーク２１の内周面に固定されている。そして、Ａ相ステータ部２２ａ及びＢ相ステータ部２２ｂは、径方向内側において対応するＡ相ロータ部２３ａ及びＢ相ロータ部２３ｂとそれぞれ対向している。
【００４７】
図３及び図５に示すように、Ａ相ステータ部２２ａ及びＢ相ステータ部２２ｂは、それぞれ第１ステータコア６０、第２ステータコア７０及びコイル部８０とから構成されている。
【００４８】
［第１ステータコア］
図５に示すように、第１ステータコア６０は、円環板状の電磁鋼板にて形成された第１ステータコアベース６１を有している。第１ステータコアベース６１の外周縁には、円筒状の第１ステータ側円筒外壁６２が形成されている。第１ステータ側円筒外壁６２は、第１ステータコアベース６１における第２ステータコア７０と対向する対向面６１ｂから軸方向内側（第２ステータコア７０側）に向かって延出されている。
【００４９】
第１ステータコアベース６１の内周面６１ａには、８個の同一形状をなす第１ステータ側爪状磁極６３が周方向等間隔（４５度間隔）に形成されている。各第１ステータ側爪状磁極６３は、第１ステータコアベース６１から径方向内側に突出されるとともに、その先端が軸方向の第２ステータコア７０側に屈曲形成されている。
【００５０】
ここで、第１ステータ側爪状磁極６３において、第１ステータコアベース６１の内周面６１ａから径方向内側に突出した部分を第１ステータ側基部６３ｘといい、軸方向に屈曲された先端部分を第１ステータ側磁極部６３ｙという。そして、第１ステータ側基部６３ｘを軸方向から見たときの形状は、径方向内側にいくほど幅狭になる台形形状に形成されている。また、第１ステータ側磁極部６３ｙを径方向から見たときの形状は、四角形状に形成されている。さらに、第１ステータ側基部６３ｘと第１ステータ側磁極部６３ｙからなる第１ステータ側爪状磁極６３の周方向端面６３ａ，６３ｂは、共に平坦面である。
【００５１】
なお、軸方向に屈曲形成された第１ステータ側磁極部６３ｙは軸直交方向断面が扇形状に形成されている。そして、第１ステータ側磁極部６３ｙの径方向外側面６３ｃ及び径方向内側面６３ｄは、軸線方向から見て、中心軸線Ｌを中心として第１ステータコアベース６１の内周面６１ａと同心円をなす円弧面である。
【００５２】
また、各第１ステータ側爪状磁極６３の第１ステータ側基部６３ｘの周方向の角度、即ち、周方向端面６３ａ，６３ｂの基端部間が回転軸１３の中心軸線Ｌとなす角度は、隣り合う第１ステータ側爪状磁極６３間の隙間の角度より小さく設定されている。
【００５３】
［第２ステータコア］
図５に示すように、第２ステータコア７０は、第１ステータコア６０と同一材質及び同一形状であって、円環板状に形成された第２ステータコアベース７１を有している。第２ステータコアベース７１の外周縁には、円筒状の第２ステータ側円筒外壁７２が形成されている。第２ステータ側円筒外壁７２は、第２ステータコアベース７１における第１ステータコア６０と対向する対向面７１ｂから軸方向内側（第２ステータコア７０側）に向かって延出されている。そして、第２ステータ側円筒外壁７２は、軸方向において第１ステータ側円筒外壁６２と当接するようになっている。
【００５４】
第２ステータコアベース７１の内周面７１ａには、８個の同一形状をなす第２ステータ側爪状磁極７３が周方向等間隔（４５度間隔）に形成されている。各第２ステータ側爪状磁極７３は、第２ステータコアベース７１から径方向内側に突出されるとともに、その先端が軸方向の第１ステータコア６０側に屈曲形成されている。
【００５５】
ここで、第２ステータ側爪状磁極７３において、第２ステータコアベース７１の内周面７１ａから径方向内側に突出した部分を第２ステータ側基部７３ｘといい、軸方向に屈曲された先端部分を第２ステータ側磁極部７３ｙという。そして、第２ステータ側基部７３ｘを軸方向から見たときの形状は、径方向内側にいくほど幅狭になる台形形状に形成されている。また、第２ステータ側磁極部７３ｙを径方向から見たときの形状は、四角形状に形成されている。さらに、第２ステータ側基部７３ｘと第２ステータ側磁極部７３ｙからなる第２ステータ側爪状磁極７３の周方向端面７３ａ，７３ｂは、共に平坦面である。
【００５６】
なお、軸方向に屈曲形成された第２ステータ側磁極部７３ｙは軸直交方向断面が扇形状に形成されている。そして、第２ステータ側磁極部７３ｙの径方向外側面７３ｃ及び径方向内側面７３ｄは、軸線方向から見て、中心軸線Ｌを中心として第２ステータコアベース７１の内周面７１ａと同心円をなす円弧面である。
【００５７】
また、各第２ステータ側爪状磁極７３の第２ステータ側基部７３ｘの周方向の角度、即ち、周方向端面７３ａ，７３ｂの基端部間が回転軸１３の中心軸線Ｌとなす角度は、隣り合う第２ステータ側爪状磁極７３間の隙間の角度より小さく設定されている。
【００５８】
つまり、このように形成されることによって、第２ステータコア７０の形状は、第１ステータコア６０と同一形状となる。そして、第１ステータコアベース６１に形成した第１ステータ側円筒外壁６２と第２ステータコアベース７１に形成した第２ステータ側円筒外壁７２とを当接させる。このとき、第２ステータコア７０は、各第２ステータ側爪状磁極７３が、軸方向から見てそれぞれ第１ステータ側爪状磁極６３間に位置するように、第２ステータ側円筒外壁７２を第１ステータ側円筒外壁６２に当接させる。
【００５９】
この状態で、第１及び第２ステータコアベース６１，７１の対向面６１ｂ，７１ｂ、第１及び第２ステータ側円筒外壁６２，７２の内周面で区画される断面四角形状の環状空間が形成される。そして、その断面四角形状の環状空間には、コイル部８０が配置され固定される。
【００６０】
［コイル部］
図３に示すように、コイル部８０は、環状巻線８１を有している。その環状巻線８１は、その周囲が樹脂モールドにて形成されたコイル絶縁層８２で覆われている。
【００６１】
図５に示すように、コイル部８０における軸方向の第１ステータコア６０側の外側面は、第１ステータコアベース６１の対向面６１ｂと、各第１ステータ側基部６３ｘ（第１ステータ側爪状磁極６３）の軸方向内側面とに当接するようになっている。また、コイル部８０における軸方向の第２ステータコア７０側の外側面は、第２ステータコアベース７１の対向面７１ｂと、各第２ステータ側基部７３ｘ（第２ステータ側爪状磁極７３）の軸方向内側面とに当接するようになっている。なお、コイル部８０の厚さ（軸方向の長さ）は、第１及び第２ステータ側爪状磁極６３，７３の軸方向の長さにあわせて、予め定めた厚さに設定されている。第１及び第２ステータ側爪状磁極６３，７３の軸方向の長さは、第１及び第２ロータ側爪状磁極３３，４３の軸方向の長さと一致している。
【００６２】
なお、図５では、説明の便宜上、環状巻線８１の引出し端子を図面上省略した。これにあわせて、第１及び第２ステータコア６０，７０の円筒外壁６２，７２やヨーク２１に形成する引出し端子を外部に導き出すための切欠きや溝を図面上省略している。
【００６３】
このように、第１及び第２ステータコア６０，７０、並びに、コイル部８０にて構成されたＡ相ステータ部２２ａ及びＢ相ステータ部２２ｂは、所謂ランデル型構造として構成される。より詳しくは、Ａ相ステータ部２２ａ及びＢ相ステータ部２２ｂは、第１及び第２ステータコア６０，７０間の環状巻線８１にて第１及び第２ステータ側爪状磁極６３，７３をその時々で互いに異なる磁極に励磁する１６極のランデル型構造のステータとなる。
【００６４】
そして、図２及び図３に示すように、Ａ相ステータ部２２ａ及びＢ相ステータ部２２ｂは、回転軸１３の軸方向にスペーサ８３を介して積層されて２層２相のランデル型のステータ２２が形成される。ここで、Ａ相ステータ部２２ａとＢ相ステータ部２２ｂは、以下のように積層されてヨーク２１の内周面に固着される。
【００６５】
Ａ相ステータ部２２ａとＢ相ステータ部２２ｂは、それらの各第２ステータコア７０同士（各第２ステータコアベース７１同士）が円環板状のスペーサ８３を介して軸方向に向かい合うように積層されている。
【００６６】
また、図３に示すように、Ａ相ステータ部２２ａに対するＢ相ステータ部２２ｂの配置角度は、軸方向のＡ相モータ部１２ａ側から見て、時計回り方向に所定角度だけずれるように構成されている。つまり、Ａ相ステータ部２２ａの磁極（第１及び第２ステータ側爪状磁極６３，７３）に対し、軸方向に対向するＢ相ステータ部２２ｂの磁極（第１ステータ側爪状磁極６３，７３）が、時計回り方向に所定角度だけずれるように構成されている。
【００６７】
図１及び図２に示すように、ヨーク２１の内側であってＢ相モータ部１２ｂの軸方向反出力側（底部１５ａ側）の側方には、ハウジング本体部１５の底部１５ａに支持された制御回路基板８４が配置されている。制御回路基板８４は、軸方向に対して垂直に設けられている。Ａ相ステータ部２２ａ及びＢ相ステータ部２２ｂの各環状巻線８１の前記引出し端子は、ステータ２２の軸方向反出力側に引き出されて制御回路基板８４に接続されている。そして、Ａ相ステータ部２２ａの環状巻線８１には、制御回路基板８４に実装されたＡ相駆動回路（図示略）から引出し端子を介してＡ相交流電圧が供給される。また、Ｂ相ステータ部２２ｂの環状巻線８１には、制御回路基板８４に実装されたＢ相駆動回路（図示略）から引出し端子を介してＢ相交流電圧が供給される。
【００６８】
次に、本実施形態の作用について説明する。
Ａ相ステータ部２２ａの環状巻線８１にＡ相交流電圧が、Ｂ相ステータ部２２ｂの環状巻線８１にＡ相交流電圧に対して所定の位相差を有するＢ相交流電圧がそれぞれ印加されると、ステータ２２に回転磁界が発生し、回転軸１３を含むロータ２３が回転駆動される。そして、回転軸１３の回転に伴いファン１４が回転すると、天板部１６中央の吸気口１８から空気が取り込まれるとともに、天板部１６の外縁とハウジング本体部１５のフランジ部１５ｃの外縁との間の送風口１９から回転軸１３の径方向に空気が送風されるようになっている。
【００６９】
ここで、本実施形態では、ステータ２２は、Ａ相交流電圧とＢ相交流電圧にあわせてＡ相ステータ部２２ａとＢ相ステータ部２２ｂの２相構造で構成されている。また、これに対応してロータ２３も、Ａ相ロータ部２３ａとＢ相ロータ部２３ｂの２相構造としている。これにより、Ａ相ロータ部２３ａ及びＢ相ロータ部２３ｂの各環状磁石５０の磁束をＡ相ステータ部２２ａ及びＢ相ステータ部２２ｂが個々に受けることができ、出力向上を図ることができる。
【００７０】
次に、本実施形態の特徴的な効果を記載する。
（１）ブロワ装置１０の駆動源として設けられるモータ１２は、前述のマルチランデル型構造を有するＡ相モータ部１２ａ及びＢ相モータ部１２ｂを備える。つまり、マルチランデル型構造のＡ相モータ部１２ａ及びＢ相モータ部１２ｂはそれぞれ、ランデル型構造のＡ相ロータ部２３ａ及びＢ相ロータ部２３ｂを有する。これにより、Ａ相ロータ部２３ａ及びＢ相ロータ部２３ｂのそれぞれにおいて、環状磁石５０の個数等の変更をしなくても第１及び第２ロータ側爪状磁極３３，４３の数を変更することで、極数の変更に対して容易に対応可能となる。
【００７１】
また、マルチランデル型構造のＡ相モータ部１２ａ及びＢ相モータ部１２ｂはそれぞれ、ランデル型構造のＡ相ステータ部２２ａ及びＢ相ステータ部２２ｂを有する。これにより、Ａ相ステータ部２２ａ及びＢ相ステータ部２２ｂのそれぞれにおいて、コイル部８０の構造を変更しなくても第１及び第２ステータ側爪状磁極６３，７３の数を変更することで、極数の変更に対して容易に対応可能となる。
【００７２】
また、本実施形態では、マルチランデル型構造の２つのモータ部（Ａ相モータ部１２ａ及びＢ相モータ部１２ｂ）を備えるため、出力向上に寄与できる。
なお、上記第１実施形態は、以下のように変更してもよい。
【００７３】
・上記第１実施形態では、制御回路基板８４をＢ相モータ部１２ｂの軸方向反出力側（底部１５ａ側）の側方に配置したが、これ以外に例えば、図６に示すように、Ａ相モータ部１２ａとＢ相モータ部１２ｂとの軸方向間に配置してもよい。なお、同例では、上記第１実施形態においてＡ相ステータ部２２ａとＢ相ステータ部２２ｂとの間に介装されたスペーサ８３を省略している。また、同例では、制御回路基板８４は、Ａ相ステータ部２２ａとＢ相ステータ部２２ｂとの間、及びＡ相ロータ部２３ａとＢ相ロータ部２３ｂとの間に介在している。
【００７４】
また、制御回路基板８４は、その径方向中間部に形成された段差部８４ａを境として、該段差部８４ａの内周側部位の板厚が段差部８４ａの外周側部位の板厚よりも薄く形成されている。そして、制御回路基板８４は、各相の第２ステータコアベース７１とそれぞれ軸方向に当接するとともに、各相の第２ロータコアベース４１に対しては軸方向に隙間を介して対向している。即ち、回転する部材であるＡ相ロータ部２３ａ及びＢ相ロータ部２３ｂに対しては接触しないように隙間が設定されている。
【００７５】
上記のように、Ａ相モータ部１２ａとＢ相モータ部１２ｂとの軸方向間に制御回路基板８４を配置することで、制御回路基板８４をＡ相モータ部１２ａ及びＢ相モータ部１２ｂのそれぞれと近接するように構成できる。それにより、各相の環状巻線８１の引出し端子と制御回路基板８４との電気的に接続するためのターミナル等の別部品を用いなくても該引出し端子を制御回路基板８４に直接接続させることが可能となる。その結果、制御回路基板８４と環状巻線８１との接続構成を簡素化することが可能となる。また、上記の接続用のターミナル等を用いないことで、モータ特性の向上にも寄与できる。また、制御回路基板８４がＡ相モータ部１２ａとＢ相モータ部１２ｂとの間に配置されることで、制御回路基板８４に実装されたスイッチ素子の作動に伴って発生する電磁ノイズを外部に漏れにくくすることができる。
【００７６】
また、図６に示す例では、Ａ相ロータ部２３ａとＢ相ロータ部２３ｂとの間にまで制御回路基板８４が延びており、この部位にホールＩＣ等の回転検出素子を設けることで、第１及び第２ロータ側爪状磁極３３，４３からの磁気を回転検出素子にて検出させてロータ２３の位置情報を検知することが可能となる。これにより、ロータ２３にセンサ用のマグネットを追加することなく、ロータ２３の位置情報を検知することが可能となる。
【００７７】
（第２実施形態）
以下、ブロワ装置の第２実施形態について説明する。なお、本実施形態は、第１実施形態と比べてＡ相モータ部１２ａ及びＢ相モータ部１２ｂの配置構成が異なるのみである。そのため、以下では、上記第１実施形態と同一の構成については同一の符号を付してその詳細な説明を省略し、相異する部分について詳細に説明する。
【００７８】
図７及び図８に示すように、本実施形態のブロワ装置１００では、モータを構成するＡ相モータ部１２ａがファン１４の軸方向一側（上壁部１４ｃ側）に配置され、Ｂ相モータ部１２ｂがファン１４の軸方向他側（ベース部１４ａ側）に配置されている。換言すれば、Ａ相モータ部１２ａ及びＢ相モータ部１２ｂの軸方向間にファン１４が介在されている。
【００７９】
詳述すると、本実施形態のブロワ装置１００は、ファン１４の軸方向両側にそれぞれ配置された第１ハウジング１１０と第２ハウジング１２０とを備えている。第１ハウジング１１０は、ファン１４のベース部１４ａ側に配置され、第２ハウジング１２０は、ファン１４の上壁部１４ｃ側に配置されている。第１ハウジング１１０は上記第１実施形態のハウジング本体部１５と対応し、第２ハウジング１２０は上記第１実施形態の天板部１６に対応する。
【００８０】
即ち、第１ハウジング１１０は有底円筒状をなし、回転軸１３の軸方向から見て円形状をなす底部１１１と、底部１１１の外周縁から軸方向に延びる円筒状の外周壁部１１２と、外周壁部１１２の底部１１１とは反対側の端部から径方向に延出するフランジ部１１３とを備えている。底部１１１の中心部には軸受収容部１１４が形成され、この軸受収容部１１４内に回転軸１３を軸支する軸受１７が固定されている。
【００８１】
第２ハウジング１２０は、全体として円環状をなし、Ａ相ステータ部２２ａが収容されるステータ収容部１２１と、ステータ収容部１２１から径方向外側に延出する円環板状のフランジ部１２２とを備えている。ステータ収容部１２１は、径方向内側に開口する断面コ字状に形成されている。
【００８２】
第２ハウジング１２０のフランジ部１２２は、第１ハウジング１１０のフランジ部１１３に対して軸方向に所定間隔を空けて対向するように配置されるとともに、該フランジ部１１３に対し例えばねじ（図示略）等によって固定されている。これらフランジ部１１３，１２２の間には、ファン１４の外縁部が介在されるように構成されている。また、第１ハウジング１１０のフランジ部１１３には、ブロワ装置１００を設置する設置箇所に対する固定部１１５が径方向外側に延出するように形成されている。
【００８３】
また、第２ハウジング１２０は、回転軸１３の軸方向に開口する円形の吸気口１２３を有する上底部１２４を有している。吸気口１２３の径は、後述するＡ相ロータ部２３ａの内径と略等しく設定されている。また、上記第１実施形態と略同様に、第１及び第２ハウジング１１０，１２０の各フランジ部１１３，１２２の外縁間の開口（隙間）が送風口１２５として構成される。
【００８４】
ファン１４の軸方向上側（上壁部１４ｃ側）に配置されるＡ相モータ部１２ａは、その構成部品であるＡ相ステータ部２２ａが第２ハウジング１２０のステータ収容部１２１内に収容固定されている。そのＡ相ステータ部２２ａの内周側には、Ａ相ロータ部２３ａが配置されている。
【００８５】
Ａ相ロータ部２３ａは、ファン１４の上壁部１４ｃの内縁部から径方向内側に延出された延出部１４ｆに対して固定されている。詳しくは、延出部１４ｆは、回転軸１３の軸線に対して垂直をなす平面板状をなす。そして、Ａ相ロータ部２３ａにおける第２ロータコアベース４１（第２ロータコア４０）が、延出部１４ｆの上面に対して例えば接着等によって固着されている。
【００８６】
ファン１４の軸方向下側（ベース部１４ａ側）に配置されるＢ相モータ部１２ｂは、その構成部品であるＢ相ステータ部２２ｂが第１ハウジング１１０の外周壁部１１２の内周面に固定されている。そのＢ相ステータ部２２ｂの内周側には、Ｂ相ロータ部２３ｂが配置されている。
【００８７】
Ｂ相ロータ部２３ｂは、ファン１４のベース部１４ａの軸方向下端面に形成された固定面１４ｇに対して固定されている。固定面１４ｇは、回転軸１３の軸線に対して垂直をなす平面状をなす。そして、Ｂ相ロータ部２３ｂにおける第２ロータコアベース４１（第２ロータコア４０）が、固定面１４ｇに対して例えば接着等によって固着されている。
【００８８】
なお、本実施形態のＡ相ステータ部２２ａ及びＢ相ステータ部２２ｂは、上記第１実施形態に対してサイズ等の相違はあるものの基本的な構成は同一である。また、Ａ相ステータ部２２ａ及びＢ相ステータ部２２ｂは、それらの各第２ステータコア７０がファン１４側を向くように配置されている。また、Ａ相ステータ部２２ａ及びＢ相ステータ部２２ｂは、上記実施形態と同様に、Ａ相ステータ部２２ａに対するＢ相ステータ部２２ｂの配置角度が、軸方向のＡ相モータ部１２ａ側から見て、時計回り方向に所定角度だけずれるように構成されている。
【００８９】
また、本実施形態のＡ相ロータ部２３ａ及びＢ相ロータ部２３ｂは、上記第１実施形態に対して、第１及び第２ロータコアベース３１，４１に内周壁部３２，４２が形成されていない点を除いて、基本的な構成は略同一である。また、Ａ相ロータ部２３ａ及びＢ相ロータ部２３ｂは、上記第１実施形態と同様に、Ａ相ロータ部２３ａに対するＢ相ロータ部２３ｂの配置角度は、軸方向のＡ相モータ部１２ａ側から見て反時計回り方向に所定角度だけずれるように構成されている。
【００９０】
また、本実施形態では、第１ハウジング１１０内に制御回路基板８４が収容されている。制御回路基板８４は、第１ハウジング１１０内において底部１１１とＢ相モータ部１２ｂ（Ｂ相ステータ部２２ｂ及びＢ相ロータ部２３ｂ）との間に配置されている。図７及び図９に示すように、制御回路基板８４は円環板状をなし、その中央孔８５に回転軸１３が挿通される。制御回路基板８４の裏面（底部１１１側の板面）には、Ａ相駆動回路８６ａ及びＢ相駆動回路８６ｂが回転軸１３の周方向における１８０度対向位置にそれぞれ実装されている。
【００９１】
Ａ相ステータ部２２ａ及びＢ相ステータ部２２ｂの各環状巻線８１の引出し端子（図示略）は、それぞれＡ相駆動回路８６ａ及びＢ相駆動回路８６ｂに接続される。そして、Ａ相ステータ部２２ａの環状巻線８１には、Ａ相駆動回路８６ａから引出し端子を介してＡ相交流電圧が供給される。また、Ｂ相ステータ部２２ｂの環状巻線８１には、Ｂ相駆動回路８６ｂから引出し端子を介してＢ相交流電圧が供給される。
【００９２】
次に、本実施形態の作用について説明する。
Ａ相ステータ部２２ａの環状巻線８１にＡ相交流電圧が、Ｂ相ステータ部２２ｂの環状巻線８１にＡ相交流電圧に対して所定の位相差を有するＢ相交流電圧がそれぞれ印加されると、ステータ２２に回転磁界が発生し、Ａ相ロータ部２３ａ及びＢ相ロータ部２３ｂを回転させる回転力が発生する。これにより、Ａ相ロータ部２３ａ及びＢ相ロータ部２３ｂが固着されたファン１４と回転軸１３とが一体回転する。すると、ファン１４の各羽根部１４ｂの作用によって第２ハウジング１２０の吸気口１２３及びＡ相ロータ部２３ａの径方向内側を介して空気が取り込まれるとともに、ファン１４のベース部１４ａと上壁部１４ｃとの間を通って第１及び第２ハウジング１１０，１２０の各フランジ部１１３，１２２間の送風口１９から径方向外側に送風される。つまり、ファン１４の回転によってＡ相モータ部１２ａとＢ相モータ部１２ｂの間を空気が流れるようになっている。
【００９３】
次に、本実施形態の特徴的な効果を記載する。
（２）Ａ相モータ部１２ａがファン１４の軸方向一側に設けられ、Ｂ相モータ部１２ｂがファン１４の軸方向他側に設けられる。この構成によれば、ファン１４の軸方向両側でそれぞれ生じるロータ２３の回転力によってファン１４が回転されるため、ファン１４の回転時の軸ブレを好適に抑制することができる。また、Ａ相モータ部１２ａ及びＢ相モータ部１２ｂの間にファン１４が設けられることから、外部に漏れ出るファン１４の風切り音を小さく抑えることが可能となる。また、Ａ相モータ部１２ａとＢ相モータ部１２ｂとをファン１４で隔てる構成のため、Ａ相モータ部１２ａ及びＢ相モータ部１２ｂが磁気的に干渉しあうことで生じうる漏れ磁束等を抑えることができる。
【００９４】
（３）Ａ相ロータ部２３ａはファン１４の軸方向一端面（上壁部１４ｃの端面）に固定され、Ｂ相ロータ部２３ｂはファン１４の軸方向他端面（ベース部１４ａの固定面１４ｇ）に固定される。この構成によれば、Ａ相ロータ部２３ａ及びＢ相ロータ部２３ｂがファン１４に対して直接固定されるため、ブロワ装置１００の軸方向の小型化に寄与できる。
【００９５】
（４）Ａ相ロータ部２３ａの径方向内側が、ファン１４の回転により流れる空気の流路として構成される。この構成によれば、ファン１４の回転時にＡ相ロータ部２３ａの径方向内側を空気が通るため、Ａ相モータ部１２ａで発生した熱の滞留を抑えることができる。これにより、熱によって生じうる環状巻線８１での抵抗増加を抑えることができ、その結果、モータの出力低下を抑えることができる。
【００９６】
なお、上記各実施形態は、以下のように変更してもよい。
・上記第１実施形態では、ファン１４をＡ相ロータ部２３ａに直接固定し、また、上記第２実施形態では、ファン１４をＡ相ロータ部２３ａ及びＢ相ロータ部２３ｂのそれぞれに直接固定しているが、各実施形態はこれに限定されるものではない。例えば、上記第１実施形態では、ファン１４をＡ相ロータ部２３ａに直接固定しない構成としつつ、回転軸１３に対して一体回転可能に固定してもよい。また、第２実施形態においても同様に、ファン１４をＡ相ロータ部２３ａ及びＢ相ロータ部２３ｂに直接固定しない構成としつつ、回転軸１３に対して一体回転可能に固定してもよい。これらのように構成した場合であっても、Ａ相ロータ部２３ａ及びＢ相ロータ部２３ｂと回転軸１３とを一体回転可能に構成できる。
【００９７】
・上記第２実施形態では、ファン１４、Ａ相ロータ部２３ａ及びＢ相ロータ部２３ｂが回転軸１３と一体回転するように構成されたが、これに特に限定されるものではない。例えば、上記第２実施形態の回転軸１３に代えて、回転不能な固定支軸を第１ハウジング１１０又は第２ハウジング１２０に設け、該固定支軸にファン１４が軸支される構成としてもよい。
【００９８】
・上記各実施形態では、Ａ相ロータ部２３ａ及びＢ相ロータ部２３ｂを１６極のランデル型構造のロータ部とし、Ａ相ステータ部２２ａ及びＢ相ステータ部２２ｂを１６極のランデル型構造のステータ部とした。これを、第１及び第２ロータ側爪状磁極３３，４３の数、並びに、第１及び第２ステータ側爪状磁極６３，７３の数を変更することによって、Ａ相ロータ部２３ａ及びＢ相ロータ部２３ｂ、並びに、Ａ相ステータ部２２ａ及びＢ相ステータ部２２ｂをそれぞれ例えば８極や２４極等、１６極以外の磁極数として構成してもよい。
【００９９】
・上記各実施形態では、モータ１２は、マルチランデル型構造を有する２つのモータ部（Ａ相モータ部１２ａ及びＢ相モータ部１２ｂ）を備えた（つまり、モータ１２の相数を２相とした）が、これに限定されるものではなく、モータ部を１つ、又は３つ以上備えた構成としてもよい（つまり、モータ１２の相数を適宜変更してもよい）。
【０１００】
・上記第１実施形態では、モータ１２のＡ相モータ部１２ａ及びＢ相モータ部１２ｂがファン１４のベース部１４ａ側（反吸気口側）に設けられたが、これに特に限定されるものではない。例えば、Ａ相モータ部１２ａ及びＢ相モータ部１２ｂを、上記第２実施形態のＡ相モータ部１２ａのような態様で、ファン１４の上壁部１４ｃ側に設けてもよい。即ち、Ａ相ステータ部２２ａ及びＢ相ステータ部２２ｂを天板部１６に支持させる。また、Ａ相ロータ部２３ａ及びＢ相ロータ部２３ｂを互いに一体回転可能に構成するとともに、Ａ相ロータ部２３ａ又はＢ相ロータ部２３ｂをファン１４の上壁部１４ｃに固着する。
【０１０１】
このような構成によれば、Ａ相ロータ部２３ａ及びＢ相ロータ部２３ｂの径方向内側が、ファン１４の回転により流れる空気の流路として構成されるため、モータ１２で発生した熱の滞留を抑えることができる。これにより、熱によって生じうる環状巻線８１での抵抗増加を抑えることができ、その結果、モータ１２の出力低下を抑えることができる。
【０１０２】
・上記各実施形態では、Ａ相ロータ部２３ａ及びＢ相ロータ部２３ｂの環状磁石５０をフェライト焼結磁石で形成したが、これに限定されるものではない。例えば、環状磁石５０をネオジム磁石、サマリウムコバルト磁石等、その他の永久磁石で形成してもよい。
【０１０３】
・上記各実施形態では、第１及び第２ロータコア３０，４０、並びに、第１及び第２ステータコア６０，７０は、それぞれ一枚の電磁鋼板にて形成したが、複数枚の薄い電磁鋼板を重ね合わせて形成してもよい。また、第１及び第２ロータコア３０，４０、並びに、第１及び第２ステータコア６０，７０を圧粉磁心で形成してもよい。
【０１０４】
・上記各実施形態では、コイル部８０において、環状巻線８１の周囲を樹脂モールドにてコイル絶縁層８２で覆ったが、円筒状のコイルボビンで実施してもよい。
・ブロワ装置１０，１００のハウジング１１（第１及び第２ハウジング１１０，１２０）やファン１４の形状等の構成は、上記各実施形態に限定されるものではなく、構成に応じて適宜変更してもよい。
【符号の説明】
【０１０５】
１０，１００…ブロワ装置、１２…ブラシレスモータ、１２ａ…Ａ相モータ部、１２ｂ…Ｂ相モータ部、１３…回転軸、１４…ファン、２１…ヨークハウジング（モータハウジング）、２２…ステータ、２２ａ…Ａ相ステータ部、２２ｂ…Ｂ相ステータ部、２３…ロータ、２３ａ…Ａ相ロータ部、２３ｂ…Ｂ相ロータ部、３０…第１ロータコア、３１…第１ロータコアベース、３３…第１ロータ側爪状磁極、３３ｘ…第１ロータ側基部、３３ｙ…第１ロータ側磁極部、４０…第２ロータコア、４１…第２ロータコアベース、４３…第２ロータ側爪状磁極、４３ｘ…第２ロータ側基部、４３ｙ…第２ロータ側磁極部、５０…環状磁石（永久磁石）、６０…第１ステータコア、６１…第１ステータコアベース、６３…第１ステータ側爪状磁極、６３ｘ…第１ステータ側基部、６３ｙ…第１ステータ側磁極部、７０…第２ステータコア、７１…第２ステータコアベース、７３…第２ステータ側爪状磁極、７３ｘ…第２ステータ側基部、７３ｙ…第２ステータ側磁極部、８０…コイル部、８１…環状巻線、８４…制御回路基板、１１０，１２０…第１及び第２ハウジング（モータハウジング）。
【図１】
2016163368.tif 000003
【図２】
2016163368.tif 000004
【図３】
2016163368.tif 000005
【図４】
2016163368.tif 000006
【図５】
2016163368.tif 000007
【図６】
2016163368.tif 000008
【図７】
2016163368.tif 000009
【図８】
2016163368.tif 000010
【図９】
2016163368.tif 000011